(57)【要約】【課題】本発明は、キャパシター検出回路を有するソリッドステートドライブを提供する。【解決手段】本発明のキャパシター検出回路を有するソリッドステートドライブは、検出されるキャパシター、所定電圧を格納する検出チップ、選択チップ、制御チップ及び表示装置を備え、検出チップの電圧ピンは電圧源に接続され、検出チップの第一入力出力ピン及び第二入力出力ピンは、それぞれ選択チップの第一入力出力ピン及び第二入力出力ピンに接続され、検出チップの検出ピンは検出されるキャパシターに接続され、選択チップの第三入力出力ピン及び第四入力出力ピンは、それぞれ制御チップの入力ピン及び出力ピンに接続され、選択チップの第五入力出力ピンは表示装置に接続される。本発明のソリッドステートドライブは、電源が切られる場合に検出されるキャパシターに故障が発生して、ソリッドステートドライブがデータを失うことを免れることができる。【選択図】図１
2014073074.tif 000002
【特許請求の範囲】
【請求項１】
検出されるキャパシター、所定電圧を格納する検出チップ、選択チップ、制御チップ及び表示装置を備えるキャパシター検出回路を有するソリッドステートドライブであって、
前記検出チップの電圧ピンは電圧源に接続され、前記検出チップの第一入力出力ピンは前記選択チップの第一入力出力ピンに接続され、前記検出チップの第二入力出力ピンは前記選択チップの第二入力出力ピンに接続され、前記検出チップの検出ピンは前記検出されるキャパシターに接続され、
前記選択チップの電圧ピンは前記電圧源に接続され、前記選択チップの第三入力出力ピンは前記制御チップの入力ピンに接続され、前記選択チップの第四入力出力ピンは前記制御チップの出力ピンに接続され、前記選択チップの第五入力出力ピンは前記表示装置に接続され、
前記ソリッドステートドライブがパワーオンされて起動する時、前記制御チップは前記出力ピンを介して前記選択チップの第四入力出力ピンに第一信号を出力して、前記選択チップの第四入力出力ピンと前記選択チップの第一入力出力ピンを連通させて、前記検出チップに前記第一信号を送信し、前記選択チップの第三入力出力ピンと前記選択チップの第二入力出力ピンは連通され、前記検出チップはその第一入力出力ピンを介して前記選択チップからの前記第一信号を受信してから、前記検出ピンを介して前記検出されるキャパシターの電圧を検出し、且つこの検出電圧を前記所定電圧と比較して、もし前記検出電圧と前記所定電圧が等しいか又は前記検出電圧が前記所定電圧より大きいと、前記検出チップは、前記検出チップの第二入力出力ピン、前記選択チップの第二入力出力ピン及び前記選択チップの第三入力出力ピンを介して前記制御チップに検出合格信号を送信し、前記制御チップは前記検出合格信号を受信してから、前記制御チップの出力ピンを介して前記選択チップの第四入力出力ピンに第二信号を出力して、前記選択チップの第三入力出力ピンと前記選択チップの第五入力出力ピンとを連通させ、前記制御チップは前記表示装置によって前記検出されるキャパシターの検出合格結果を表示し、もし前記検出電圧が前記所定電圧より小さいと、前記検出チップは、前記検出チップの第二入力出力ピン、前記選択チップの第二入力出力ピン及び前記選択チップの第三入力出力ピンを介して前記制御チップに検出失敗信号を送信し、前記制御チップは前記検出失敗信号を受信してから、前記制御チップの出力ピンを介して前記選択チップの第四入力出力ピンに第二信号を出力して、前記選択チップの第三入力出力ピンと前記選択チップの第五入力出力ピンとを連通させ、前記制御チップは前記表示装置によって前記検出されるキャパシターの検出失敗結果を表示して、ユーザーに前記検出されるキャパシターに故障が発生したと提示することを特徴とするキャパシター検出回路を有するソリッドステートドライブ。
【請求項２】
前記検出回路を有するソリッドステートドライブは、第一レジスター〜第九レジスターの９つのレジスターをさらに備え、前記第一レジスターは、前記検出チップの第二入力出力ピンと前記検出チップの電圧ピンとの間に接続され、前記第二レジスターは、前記検出チップの第三入力出力ピンと前記電圧源との間に接続され、前記第三レジスターは、前記検出チップの検出ピンと前記検出されるキャパシターとの間に接続され、前記第四レジスターは、前記検出チップの第一入力出力ピンと地との間に接続され、前記第五レジスターは、前記検出チップの第五入力出力ピンと地との間に接続され、前記第六レジスターは、前記制御チップの入力ピンと前記電圧源との間に接続され、前記第七レジスターは、前記制御チップの入力ピンと地との間に接続され、前記第八レジスターは、前記選択チップの第三入力出力ピンと前記制御チップの入力ピンとの間に接続され、前記第九レジスターは、前記制御チップの出力ピンと前記選択チップの第四入力出力ピンとの間に接続されることを特徴とする請求項１に記載のキャパシター検出回路を有するソリッドステートドライブ。
【請求項３】
前記キャパシター検出回路を有するソリッドステートドライブは、第一キャパシター〜第五キャパシターの５つのキャパシターをさらに備え、前記第一キャパシターは、前記検出チップの電圧ピンと地との間に接続され、前記第二キャパシターは、前記検出ピンの第四入力出力ピンと地との間に接続され、前記第三キャパシターは、前記第五レジスターと地との間に接続され、前記第四キャパシターは、前記選択チップの電圧ピンと地との間に接続され、前記第五キャパシターは、前記選択チップの第四入力出力ピンと地との間に接続されることを特徴とする請求項1に記載のキャパシター検出回路を有するソリッドステートドライブ。
【発明の詳細な説明】
【技術分野】
【０００１】
本発明は、ソリッドステートドライブに関するものであり、特にキャパシター検出回路を有するソリッドステートドライブに関するものである。
【背景技術】
【０００２】
ソリッドステートドライブ（ｓｏｌｉｄ  ｓｔａｔｅ  ｄｒｉｖｅｓ，ＳＳＤ）は、記憶媒体としてコンピューターシステムに広く応用されてストレージ容量を追加するために用いられる。ソリッドステートドライブは、マザーボードのメモリスロットに差し込まれて、マザーボードが印加する電圧を受けるが、マザーボードの電源が異常に切られる場合、ソリッドステートドライブはデータを失うかもしれません。だから、ＳＳＤメーカーは、スーパーキャパシター（Ｓｕｐｅｒ  Ｃａｐａｃｉｔｏｒ，ＳＣ）を電源が異常に切られる場合の保護電源として使用する。
【発明の概要】
【発明が解決しようとする課題】
【０００３】
しかし、システムの電源が切られてから、スーパーキャパシターによって電源を提供する場合、ソリッドステートドライブの安定性を確保するために、スーパーキャパシターに対して検出しなければならない。
【０００４】
本発明の目的は、前記課題を解決し、ソリッドステートドライブのスーパーキャパシターに対して検出することができるキャパシター検出回路を有するソリッドステートドライブを提供することである。
【課題を解決するための手段】
【０００５】
本発明に係るキャパシター検出回路を有するソリッドステートドライブは、検出されるキャパシター、所定電圧を格納する検出チップ、選択チップ、制御チップ及び表示装置を備え、検出チップの電圧ピンは電圧源に接続され、検出チップの第一入力出力ピンは選択チップの第一入力出力ピンに接続され、検出チップの第二入力出力ピンは選択チップの第二入力出力ピンに接続され、検出チップの検出ピンは検出されるキャパシターに接続され、選択チップの電圧ピンは電圧源に接続され、選択チップの第三入力出力ピンは制御チップの入力ピンに接続され、選択チップの第四入力出力ピンは制御チップの出力ピンに接続され、選択チップの第五入力出力ピンは表示装置に接続され、ソリッドステートドライブがパワーオンされて起動する時、制御チップは出力ピンを介して選択チップの第四入力出力ピンに第一信号を出力して、選択チップの第四入力出力ピンと選択チップの第一入力出力ピンを連通させて、検出チップに第一信号を送信し、選択チップの第三入力出力ピンと選択チップの第二入力出力ピンは連通され、検出チップはその第一入力出力ピンを介して選択チップからの第一信号を受信してから、検出ピンを介して検出されるキャパシターの電圧を検出し、且つこの検出電圧を所定電圧と比較して、もし検出電圧と所定電圧が等しいか又は検出電圧が所定電圧より大きいと、検出チップは、検出チップの第二入力出力ピン、選択チップの第二入力出力ピン及び選択チップの第三入力出力ピンを介して制御チップに検出合格信号を送信し、制御チップは検出合格信号を受信してから、制御チップの出力ピンを介して選択チップの第四入力出力ピンに第二信号を出力して、選択チップの第三入力出力ピンと選択チップの第五入力出力ピンとを連通させ、制御チップは表示装置によって検出されるキャパシターの検出合格結果を表示し、もし検出電圧が所定電圧より小さいと、検出チップは、検出チップの第二入力出力ピン、選択チップの第二入力出力ピン及び選択チップの第三入力出力ピンを介して制御チップに検出失敗信号を送信し、制御チップは検出失敗信号を受信してから、制御チップの出力ピンを介して選択チップの第四入力出力ピンに第二信号を出力して、選択チップの第三入力出力ピンと選択チップの第五入力出力ピンとを連通させ、制御チップは表示装置によって検出されるキャパシターの検出失敗結果を表示して、ユーザーに検出されるキャパシターに故障が発生したと提示する。
【発明の効果】
【０００６】
本発明のキャパシター検出回路を有するソリッドステートドライブは、検出チップ、選択チップ及び制御チップによって検出されるキャパシターの電圧を検出してから、検出電圧を所定電圧と比較して、検出されるキャパシターの完備又は故障を判断することにより、ソリッドステートドライブの電源が異常に切られる場合、検出されるキャパシターが故障のため電圧を提供できなくなって、ソリッドステートドライブがデータを失うことを免れる。
【図面の簡単な説明】
【０００７】
【図１】本発明の実施形態に係るキャパシター検出回路を有するソリッドステートドライブの回路図である。
【図２】本発明の実施形態に係るキャパシター検出回路を有するソリッドステートドライブの回路図である。
【発明を実施するための形態】
【０００８】
以下、図面を参照して、本発明の実施形態について説明する。
【０００９】
図１及び図２を参照すると、本発明の実施形態に係るキャパシター検出回路を有するソリッドステートドライブ１００は、レジスターＲ１〜Ｒ９と、キャパシターＣ１〜Ｃ５と、検出されるキャパシター１０、検出チップ２０と、選択チップ３０と、制御チップ４０と、発光ダイオードのような表示装置５０と、を備える。キャパシター検出回路を有するソリッドステートドライブ１００の他の電子素子は、通常のソリッドステートドライブと同じであるのでここで詳しく説明しない。
【００１０】
検出チップ２０の電圧ピンＶＣＣは、電圧源Ｖ１に接続され、且つキャパシターＣ１を介して接地される。検出チップ２０の入力出力（Ｉｎｐｕｔ/Ｏｕｔｐｕｔ，Ｉ/Ｏ）ピンＲＥＳＥＴ２は、レジスターＲ１を介して検出チップ２０の電圧ピンＶＣＣに接続され、且つ選択チップ３０の入力出力ピン２Ｂ２に接続される。検出チップ２０の入力出力ピンＲＥＳＥＴ１は、レジスターＲ４を介して接地され、且つ選択チップ３０の入力出力ピン１Ｂ２に接続される。検出チップ２０の入力出力ピンＣＴは、レジスターＲ５及びキャパシターＣ３を介して接地される。レジスターＲ２は、検出チップ２０の電圧ピンＶＣＣと入力出力ピンＲＥＳＩＮとの間に接続される。検出チップ２０の入力出力ピンＲＥＦは、キャパシターＣ２を介して接地される。検出チップ２０の検出ピンＳＥＮＳＥは、レジスターＲ３を介して検出されるキャパシター１０に接続される。選択チップ３０の電圧ピンＶＣＣは、電圧源Ｖ１に接続され、且つキャパシターＣ４を介して接地される。選択チップの入力出力ピン２Ａは、レジスターＲ８を介して制御チップ４０の入力ピン１に接続される。レジスターＲ６は、電圧源Ｖ１と制御チップ４０の入力ピン１との間に接続され、レジスターＲ７は、制御チップ４０の入力ピン１と地との間に接続される。選択チップ３０の入力出力ピンＳは、レジスターＲ９を介して制御チップ４０の出力ピン２に接続される。キャパシターＣ５は、選択チップ３０の入力出力ピンＳと地との間に接続される。選択チップ３０の入力出力ピン２Ｂ１は、表示装置５０に接続される。
【００１１】
使用する場合、ソリッドステートドライブ１００がパワーオンされて起動する時、制御チップ４０は出力ピン２を介して選択チップ３０の入力出力ピンＳに高レベル信号を出力して、入力出力ピンＳと入力出力ピン１Ｂ２を連通させて、検出チップ２０に高レベル信号を出力するとともに、選択チップ３０の入力出力ピン２Ａと入力出力ピン２Ｂ２を連通させる。
【００１２】
検出チップ２０は、入力出力ピン１Ｂ２を介して選択チップ３０からの高レベル信号を受信してから、検出ピンＳＥＮＳＥによって検出されるキャパシター１０の電圧を検出し、検出電圧を検出チップ２０の内部に格納された所定電圧（例えば、４Ｖである）と比較して、もし検出電圧が所定電圧と等しくか又は所定電圧より大きいと、検出チップ２０は入力出力ピンＲＥＳＥＴ２、選択チップ３０の入力出力ピン２Ｂ２及び入力出力ピン２Ａを介して制御チップ４０に検出合格信号を送信する。制御チップ４０は、検出合格信号を受信してから、出力ピン２を介して選択チップ３０の入力出力ピンＳに低レベル信号を出力して、選択チップ３０の入力出力ピン２Ａと入力出力ピン２Ｂ１を連通させ、制御チップ４０は表示装置５０によって検出されるキャパシター１０の検出合格結果を表示し、例えば、発光ダイオードが発光する。もしこの時にソリッドステートドライブ１００の電源が切られると、制御チップ４０は検出されるキャパシター１０を放電させて、ソリッドステートドライブ１００に電圧を提供することにより、ソリッドステートドライブ１００がデータを失わないようにする。
【００１３】
もし検出電圧が所定電圧より小さいと、検出チップ２０は入力出力ピンＲＥＳＥＴ２、選択チップ３０の入力出力ピン２Ｂ２及び入力出力ピン２Ａを介して制御チップ４０に検出失敗信号を送信する。制御チップ４０は、検出失敗信号を受信してから、出力ピン２を介して選択チップ３０の入力出力ピンＳに低レベル信号を出力して、選択チップ３０の入力出力ピン２Ａと入力出力ピン２Ｂ１を連通させ、制御チップ４０は表示装置５０によって検出されるキャパシター１０の検出失敗結果を表示し、例えば、発光ダイオードは発光しなく、ユーザーに検出されるキャパシター１０を取り換えるように提示して、電源が異常に切られる場合、ソリッドステートドライブ１００がデータを失わないようにする。
【００１４】
ソリッドステートドライブ１００は、検出チップ２０、選択チップ３０及び制御チップ４０によって検出されるキャパシター１０の電圧を検出してから、検出電圧を所定電圧と比較して、検出されるキャパシター１０の完備又は故障を判断することにより、ソリッドステートドライブ１００の電源が異常に切られる場合、検出されるキャパシター１０が故障のため電圧を提供できなくなって、ソリッドステートドライブ１００がデータを失うことを免れる。
【００１５】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１６】
１００  ソリッドステートドライブ
１０  検出されるキャパシター
２０  検出チップ
３０  選択チップ
４０  制御チップ
５０  表示装置
Ｖ１  電圧源
Ｒ１〜Ｒ９  レジスター
Ｃ１〜Ｃ５  キャパシター
【図１】
2014073074.tif 000003
【図２】
2014073074.tif 000004